(57)【要約】【課題】下側部材の底部の厚さ寸法を０．１ｍｍ程度のごく小さなものとできて高倍率の対物レンズに対応することが可能で、しかも下側部材の底部が変形しても顕微鏡観察用容器そのものを交換する必要のない顕微鏡観察用容器を提供する。【解決手段】収容部１９に培養液Ｂと細胞Ｃを入れて、顕微鏡のステージに載置する。そして、対物レンズＴを下方から板状ガラス１８の下面に接近させて細胞Ｃの観察を行う。ＷＤが０．１５ｍｍの高倍率の対物レンズＴを用いた場合にステージをスライドさせて観察箇所を変更しても、プレート状部材４の厚さ寸法が０．１ｍｍであるので、対物レンズＴがプレート状部材４に接触するのを防止することができる。プレート状部材４だけを交換できるので、下側部材２と上側部材３は、そのまま継続して使用することが可能である。【選択図】  図４
2018200458.tif 000002
【特許請求の範囲】
【請求項１】
筒状部と底部を有する下側部材と、前記下側部材の底部に形成された開口と、前記下側部材の筒状部に嵌る筒状部を有する上側部材と、前記上側部材の筒状部が前記下側部材の筒状部に嵌った状態で上側部材と下側部材を固定する固定手段とを備えた顕微鏡観察用容器であって、
穴を有するプレート状部材を備え、前記プレート状部材を前記底部の上面の前記開口の縁部分に設置して、前記プレート状部材の上面に板状ガラスを設置し、前記穴を閉鎖する状態とし、前記上側部材の筒状部を前記下側部材の筒状部に嵌め、前記上側部材と前記板状ガラスとの間に介装したＯリングを押圧して、弾性変形させると共に板状ガラスの上面に密着させ、前記固定手段によって前記上側部材と前記下側部材を固定することで前記上側部材の円筒部の内面と、Ｏリング及び板状ガラスによって囲まれた空間により水漏れしない収容部を形成することを特徴とする顕微鏡観察用容器。
【請求項２】
請求項１に記載した顕微鏡観察用容器において、プレート状部材は、少なくとも穴の周辺部の厚さ寸法は０．１ｍｍ以下であることを特徴とする顕微鏡観察用容器。
【請求項３】
請求項１または２に記載した顕微鏡観察用容器において、プレート状部材は金属製であり、プレス成形によって製作されていることを特徴とする顕微鏡観察用容器。
【請求項４】
請求項１または２に記載した顕微鏡観察用容器において、プレート状部材は合成樹脂製であることを特徴とする顕微鏡観察用容器。
【請求項５】
請求項１から４のいずれかに記載した顕微鏡観察用容器において、プレート状部材は下側部材の底部の上面に係合する係合部と、前記係合部に連続し、且つ係合部より下方に位置して前記底部の開口に対応する開口対応部とから成ることを特徴とする顕微鏡観察用容器。
【請求項６】
請求項１から５のいずれかに記載した顕微鏡観察用容器において、固定手段は上側部材、下側部材のいずれか一方に設けられたマグネットと、他方に設けられた磁性体部によって構成されていることを特徴とする顕微鏡観察用容器。
【請求項７】
請求項１から６のいずれかに記載した顕微鏡観察用容器において、上側部材にはＯリングの一部が前記上側部材の下端面より下側へ突出する状態で嵌る保持溝が形成され、前記上側部材の下端には前記保持溝に嵌ったＯリングを係止する係止凸部が形成されていることを特徴とする顕微鏡観察用容器。
【発明の詳細な説明】
【技術分野】
【０００１】
本発明は顕微鏡を用いて生体細胞等の被検査物を観察するために用いられる顕微鏡観察用容器に関するものである。
【背景技術】
【０００２】
大学や企業において、生体細胞、生物組織片、微生物等、もしくはこれらの培養物、またはこれらに薬物や遺伝子等を注入したものの経時的な変化を顕微鏡で観察して、生物化学的、薬学的な研究が行われている。
このような細胞等の経時的変化を顕微鏡で観察する際には、一般に培養容器を兼ねた顕微鏡観察用容器が用いられている。この顕微鏡観察用容器としては、直径３５ｍｍのペトリディッシュが用いられることが多い。このペトリディッシュはプラスチック製の容器本体と、この容器本体の上面開口を覆う蓋体を有している。そして、容器本体の底部には穴が形成されており、この穴を覆うように板状ガラスが取り付けられている。このように板状ガラスを備えた構成としているのは、特に高倍率の対物レンズを用いる場合においてより高い光学的性能を出すためである。
【０００３】
ところが、このタイプのペトリディッシュは使い捨てとなるので、ランニングコストが嵩むという不都合がある。ペトリディッシュを大量に使用する実験もあり、それに費やすコストは相当なものとなる。更に、ペトリディッシュは容積が大きいので、これに入れる培養液等はある程度の量が必要となる。このため、特に培養液等が高価なものである場合はランニングコストが嵩んでしまうことになる。
そこで、非特許文献１に示す顕微鏡観察用容器が用いられることもある。この顕微鏡観察用容器は、ステンレス合金等の金属によって構成されており、底部に穴を有する下側部材と、この下側部材の穴に対応する開口を有する上側部材とから成る。下側部材の円筒部には雌ネジが形成され、また上側部材の円筒部には下側部材の雌ネジに螺合する雄ネジが形成されている。
【０００４】
顕微鏡観察用容器を使用する際には、下側部材の底部内側に板状ガラスを設置し、板状ガラスによって穴を閉鎖する状態とする。そして、上側部材の下端部にＯリングを嵌めて、上側部材を下側部材に螺合する。ネジを締めていくことで上側部材が進行してＯリングが上側部材と板状ガラスとの間で押圧され、弾性変形して板状ガラスの上面に密着する。この状態においては、上側部材の円筒部の内面と、Ｏリング及び板状ガラスによって囲まれた空間により水漏れしない収容部が形成される。
【０００５】
上記収容部に培養液等と細胞等を収容して、対物レンズを板状ガラスの下面へ接近させて顕微鏡観察を行う。
この従来の顕微鏡観察用容器は、Ｏリングと板状ガラスを除いて繰り返し使用することができ、しかも収容部の容積が上記ペトリディッシュのそれよりも小さいため、ランニングコストを抑えることが可能である。
【先行技術文献】
【非特許文献】
【０００６】
【非特許文献１】Aireka Scientific Co. Ltd、［online］、［平成２９年５月８日検索］、インターネット＜http://airekacells.com/cell-chamber/coverslip-cell-chamber-sc15012.html＞
【発明の概要】
【発明が解決しようとする課題】
【０００７】
しかしながら、上記従来の顕微鏡観察用容器は、その下側部材を切削加工によって製作しており、底部の厚さ寸法は約０．８ｍｍである。また、熟練の技能を持った者でも底部の厚さ寸法を０．２５ｍｍ程度にするのが限界である。高倍率の対物レンズでは、そのワーキングディスタンス（以下、ＷＤという。）、すなわち対物レンズの先端面と板状ガラスの下面までの距離が０．１５ｍｍ以下であることが必要である。このため、下側部材の厚さ寸法を０．２５ｍｍにしたとして、顕微鏡観察用容器を載置したステージをスライドさせると、対物レンズが下側部材の底の穴の縁に当たってしまい、顕微鏡観察に支障が生じてしまうことになる。
【０００８】
また、上記従来の顕微鏡観察用容器の底部の厚さ寸法は既述のように高倍率の対物レンズのＷＤに対応するために小さくする必要があるが、底部の厚さ寸法を小さくすると強度が低くなり耐久性を損なうことになる。すなわち、上側部材と下側部材とを螺合させると、Ｏリングと板状ガラスを介して下側部材の底部に押圧力が加わるので、底部の強度が低いと顕微鏡観察用容器を繰り返し使用している間に底部が変形してしまう。底部が変形すると板状ガラスの一部分に大きな押圧力が加わるため、板状ガラスが破損してしまうことになる。このような場合には、高価な顕微鏡観察用容器そのものを交換しなくてはならなくなる。
本発明は上記従来の問題点に着目して為されたものであり、下側部材の底部の厚さ寸法を０．１ｍｍ程度のごく小さなものとできて高倍率の対物レンズに対応することが可能で、しかも下側部材の底部が変形しても顕微鏡観察用容器そのものを交換する必要のない顕微鏡観察用容器の提供を、その目的とする。
【課題を解決するための手段】
【０００９】
本発明は上記課題を解決するために為されたものであり、請求項１の発明は、筒状部と底部を有する下側部材と、前記下側部材の底部に形成された開口と、前記下側部材の筒状部に嵌る筒状部を有する上側部材と、前記上側部材の筒状部が前記下側部材の筒状部に嵌った状態で上側部材と下側部材を固定する固定手段とを備えた顕微鏡観察用容器であって、穴を有するプレート状部材を備え、前記プレート状部材を前記底部の上面の前記開口の縁部分に設置して、前記プレート状部材の上面に板状ガラスを設置し、前記穴を閉鎖する状態とし、前記上側部材の筒状部を前記下側部材の筒状部に嵌め、前記上側部材と前記板状ガラスとの間に介装したＯリングを押圧して、弾性変形させると共に板状ガラスの上面に密着させ、前記固定手段によって前記上側部材と前記下側部材を固定することで前記上側部材の円筒部の内面と、Ｏリング及び板状ガラスによって囲まれた空間により水漏れしない収容部を形成することを特徴とするものである。
【００１０】
請求項２の発明は、請求項１に記載した顕微鏡観察用容器において、プレート状部材は、少なくとも穴の周辺部の厚さ寸法は０．１ｍｍ以下であることを特徴とするものである。
【００１１】
請求項３の発明は、請求項１または２に記載した顕微鏡観察用容器において、プレート状部材は金属製であり、プレス成形によって製作されていることを特徴とするものである。
【００１２】
請求項４の発明は、請求項１または２に記載した顕微鏡観察用容器において、プレート状部材は合成樹脂製であることを特徴とするものである。
【００１３】
請求項５の発明は、請求項１から４のいずれかに記載した顕微鏡観察用容器において、プレート状部材は下側部材の底部の上面に係合する係合部と、前記係合部に連続し、且つ係合部より下方に位置して前記底部の開口に対応する開口対応部とから成ることを特徴とするものである。
【００１４】
請求項６の発明は、請求項１から５のいずれかに記載した顕微鏡観察用容器において、固定手段は上側部材、下側部材のいずれか一方に設けられたマグネットと、他方に設けられた磁性体部によって構成されていることを特徴とするものである。
【００１５】
請求項７の発明は、請求項１から６のいずれかに記載した顕微鏡観察用容器において、上側部材にはＯリングの一部が前記上側部材の下端面より下側へ突出する状態で嵌る保持溝が形成され、前記上側部材の下端には前記保持溝に嵌ったＯリングを係止する係止凸部が形成されていることを特徴とするものである。
【発明の効果】
【００１６】
本発明の顕微鏡観察用容器によれば、高倍率の対物レンズを用いた場合にステージをスライドさせて観察箇所を変更しても、対物レンズがプレート状部材に接触するのを防止することができる。従って、穴の端部近傍の領域まで観察範囲とすることが可能となる。
また、プレート状部材だけを交換することができるので、下側部材と上側部材は、そのまま継続して使用することが可能であり、実験にかかるコストを低く抑えることができるようになる。
プレート状部材を下側部材とは別の部材としているので、Ｏリングが弾性変形する際に、プレート状部材も僅かに弾性変形する。このため、Ｏリングの板状ガラスに対して接する部分の圧力がいずれの部位においてもほぼ等しくなり、収容部の水漏れを確実に防止することができ、また板状ガラスの一部に押圧力が集中することがなくなり、板状ガラスが割れるのを防止することができる。
【図面の簡単な説明】
【００１７】
【図１】本発明の実施の形態１に係る顕微鏡観察用容器を斜め上方から見た分解斜視図である。
【図２】図１の顕微鏡観察用容器を斜め下方から見た分解斜視図である。
【図３】図１の顕微鏡観察用容器を分解した状態の断面図である。
【図４】図１の顕微鏡観察用容器を組み立てた状態の断面図である。
【図５】図１の顕微鏡観察用容器を用いて顕微鏡観察を行った場合の対物レンズの動作状態を説明するための図である。
【図６】本発明の実施の形態２に係る顕微鏡観察用容器を斜め上方から見た分解斜視図である。
【図７】図６の顕微鏡観察用容器を分解した状態の断面図である。
【図８】図６の顕微鏡観察用容器を組み立てた状態の断面図である。
【図９】本発明の実施の形態３に係る顕微鏡観察用容器を斜め上方から見た分解斜視図である。
【図１０】図９の顕微鏡観察用容器を斜め下方から見た分解斜視図である。
【図１１】図９の顕微鏡観察用容器を分解した状態の断面図である。
【図１２】図９の顕微鏡観察用容器を組み立てた状態の断面図である。
【図１３】本発明の実施の形態４に係る顕微鏡観察用容器を組み立てた状態の断面図である。
【発明を実施するための形態】
【００１８】
本発明の実施の形態１に係る顕微鏡観察用容器１を図１から図５にしたがって説明する。
顕微鏡観察用容器１はステンレス合金によって構成された下側部材２、上側部材３及びプレート状部材４から成る。
下側部材２の構造を説明する。
符号５は高さ寸法の小さい筒状部を示し、この筒状部５は底部６を有している。筒状部５の内周面には雌ネジ７が形成され、底部６の中心部には円形の開口８が形成されている。底部６の厚さ寸法は０．８５ｍｍである。このような厚さ寸法とすることで底部６の強度を大きくでき、下側部材２の耐久性を向上させることが可能となる。なお、底部６の厚さ寸法は十分な強度を得ることができれば本寸法に限定されるものではない。
【００１９】
上側部材３の構造を説明する。
符号９は筒状部を示し、この筒状部９の上端部にはフランジ部１０が形成されている。また、筒状部９の下端部は下方へ僅かに突出する凸部１１となっている。
筒状部９の貫通穴１２は下方へ行くに従って徐々に縮径し、凸部１１においては同じ径寸法が連続する形状に形成されている。
【００２０】
筒状部９の外周面の上下方向のほぼ中央部には下側部材２の雌ネジ７に螺合する雄ネジ１３が形成されている。
上記雌ネジ７と雄ネジ１３によって固定手段が構成されている。
また、凸部１１の外周面には後述するようにＯリング１４が嵌る保持溝１５が形成され、更に凸部１１の下端には係止凸部１６が形成されている（図３参照）。
【００２１】
プレート状部材４の構造を説明する。
プレート状部材４はステンレス合金製で、下側部材２の底部６より僅かに小さいほぼ円板形でプレス成形によって製作されている。プレート状部材４は、平坦な環状の外縁部４ａ、この外縁部４ａの内側に連続して設けられ下方へ突出する中間部４ｂ及び中間部４ｂの内側に連続して設けられ下方へ僅かに突出する中央部４ｃによって構成されている。中央部４ｃには円形の穴１７が形成されている。
穴１７の直径は８ｍｍであり、後述する直径１０ｍｍの円板状の板状ガラス１８に対応するものである。
そして、穴１７の周辺部である中央部４ｃの厚さ寸法は０．１ｍｍに形成されている。穴１７の周辺部とは後述するように顕微鏡観察を行う際に対物レンズＴが対向する範囲をいう。なお、外縁部４ａ、中間部４ｂの厚さ寸法も０．１ｍｍとなっている。
中央部４ｃの直径は、直径１０ｍｍの円板状の板状ガラス１８より僅かに大きいサイズに形成されている。
上記外縁部４ａによって係合部が構成され、中間部４ｂと中央部４ｃによって開口対応部が構成されている。
【００２２】
次に、この顕微鏡観察用容器１の使用方法を説明する。
下側部材２の底部６にプレート状部材４を備えて、外縁部４ａを底部６の上面の開口８の縁部分に係合する。この状態ではプレート状部材４の中間部４ｂ、中央部４ｃは開口８に対応して入り込んでいる。
次いで、中央部４ｃに板状ガラス１８を設置する。これにより、プレート状部材４の穴１７は板状ガラス１８によって閉鎖された状態となる。
一方、Ｏリング１４を上側部材３の凸部１１に取り付けて保持溝１５に嵌める。この状態ではＯリング１４の一部が凸部１１の下端面より下側へ突出する。保持溝１５に嵌ったＯリング１４は係止凸部１６に係止されるので、Ｏリング１４が保持溝１５から不用意に脱落してしまうのを防止することができる。
【００２３】
次に、上側部材３の筒状部９を下側部材２の筒状部５に嵌め、雄ネジ１３を雌ネジ７に螺合させて上側部材３を回してネジを締める。これにより、上側部材３は下側部材２に向かって進行し、上側部材３と板状ガラス１８との間にＯリング１４が介装された状態となる。更に、上側部材３を回してネジを締めると、Ｏリング１４が押圧される。これにより、Ｏリング１４が弾性変形して板状ガラス１８の上面に密着する。この状態で、雄ネジ１３と雌ネジ７との螺合によって上側部材３と下側部材２が固定され、上側部材３の筒状部９の内面と、Ｏリング１４及び板状ガラス１８によって囲まれた空間により水漏れしない収容部１９が形成される。
なお、プレート状部材４を下側部材２とは別の部材としているので、Ｏリング１４が弾性変形する際に、プレート状部材４も僅かに弾性変形する。このため、Ｏリング１４の板状ガラス１８に対して接する部分の圧力がいずれの部位においてもほぼ等しくなり、収容部１９の水漏れを確実に防止することが可能となる。
また、板状ガラス１８の一部に押圧力が集中することがなくなり、板状ガラス１８が割れるのを防止することができる。
【００２４】
そして、図４に示すように収容部１９に培養液Ｂと細胞Ｃを入れて、図示しない顕微鏡のステージに載置する。そして、細胞Ｃを培養しながら対物レンズＴを顕微鏡観察用容器１の下方から板状ガラス１８の下面に接近させて細胞Ｃの観察を行う。ＷＤが０．１５ｍｍの高倍率の対物レンズＴを用いた場合に、図５に示すようにステージをスライドさせて観察箇所を変更しても、中央部４ｃの厚さ寸法が０．１ｍｍであるので、対物レンズＴが中央部４ｃの穴１７以外の部分に対向しても、中央部４ｃに接触するのを防止することができる。従って、穴１７の端部近傍の領域まで観察範囲とすることが可能となる。
【００２５】
上記のように上側部材３と板状ガラス１８との間に介装したＯリング１４を押圧することで弾性変形させ板状ガラス１８の上面に密着させているので、プレート状部材４に圧力が加わることになる。このため、顕微鏡観察用容器１を繰り返し使用しているとプレート状部材４が変形する。プレート状部材４が変形すると、板状ガラス１８の一部分に大きな押圧力が加わるため、板状ガラスが破損してしまう。これを防止するためプレート状部材４を交換する。このようにプレート状部材４だけを交換すれば足りるので、下側部材２と上側部材３は、そのまま継続して使用することが可能であり、実験にかかるコストを低く抑えることができるようになる。
【００２６】
本発明の実施の形態２に係る顕微鏡観察用容器２１を図６から図８に従って説明する。
顕微鏡観察用容器２１は実施の形態１に係る顕微鏡観察用容器１と同様の構成部分を有しているので、顕微鏡観察用容器１と同様の構成部分については実施の形態１で用いた符号を付して、その説明を省略し、異なる構成部分についてのみ説明する。
下側部材２２の底部６には２つのマグネット２５が埋設状に設けられており、マグネット２５の上面は底部６の上面に露出している。マグネット２５の上面は底部６の上面と同じ高さとなっている。２つのマグネット２５は下側部材２２の軸心を中心として１８０°の間隔を開けて配置されている。
【００２７】
また、上側部材２３の下面には２つの磁性体部としての磁性体ブロック２４が埋設状に設けられており、磁性体ブロック２４の下面は上側部材２３の底面に露出している。２つの磁性体ブロック２４は２つのマグネット２５に対応して配置されている。
上記マグネット２５と磁性体ブロック２４によって固定手段が構成されている。なお、下側部材２２、上側部材２３のいずれにも雌ネジ、雄ネジは設けられていない。
【００２８】
顕微鏡観察用容器２１では、上側部材２３の筒状部９を下側部材２２の筒状部５に嵌めると、磁性体ブロック２４がマグネット２５に吸着されて、上側部材２３と下側部材２２とが固定される。これにより、Ｏリング１４が弾性変形して板状ガラス１８の上面に密着する。この状態で、上側部材２３と下側部材２２が固定され、上側部材２３の筒状部９の内面と、Ｏリング１４及び板状ガラス１８によって囲まれた空間により水漏れしない収容部１９が形成される。
【００２９】
本発明の実施の形態３に係る顕微鏡観察用容器３１を図９から図１２に従って説明する。
顕微鏡観察用容器３１も実施の形態２と同様に実施の形態１で用いた符号を付して、その説明を省略し、異なる構成部分についてのみ説明する。
下側部材３２の構造を説明する。
符号３５は高さ寸法の小さい筒状部を示し、この筒状部３５は底部３６を有している。底部３６の下面の外縁部には突出壁３７が形成されており、この突出壁３７の高さ寸法は０．５０ｍｍである。また、突出壁３７には４か所の切欠き部３８が形成され、これらの切欠き部３８は等間隔（９０°間隔）に配置されている。
【００３０】
上側部材３３の構造を説明する。
符号３９は筒状部を示し、この筒状部３９の上端部にはフランジ部１０が形成されている。
筒状部３９の貫通穴４２は下方へ行くに従って徐々に縮径し、凸部１１においては同じ径寸法が連続する形状に形成されている。貫通穴４２の内周面４３は親水性を有している。なお、内周面４３はブラスト加工等によって粗面としたり、メッキを施したりすることによって親水性が高められている。
また、内周面４３には切削加工により円形のライン４４が設けられている。このライン４４は貫通穴４２の容積を示す目盛りであり、ライン４４の位置まで培養液Ｂを入れると、貫通穴４２に２ｍｌの培養液Ｂが入れられたことを示す。
【００３１】
筒状部３９の外周面の上下方向のほぼ中央部には下側部材３２の雌ネジ７に螺合する雄ネジ１３が形成されている。
上記雌ネジ７と雄ネジ１３によって固定手段が構成されている。
また、凸部１１の外周面にはＯリング１４が嵌る保持溝１５が形成され、更に凸部１１の下端には係止凸部１６が形成されている（図３参照）。
【００３２】
プレート状部材３４の構造を説明する。
プレート状部材３４はステンレス合金製で、プレス成形によって製作されている。このプレート状部材３４は下側部材３２の底部３６より僅かに小さいほぼ円板形に形成されている。プレート状部材３４は、平坦な環状の外縁部３４ａ、この外縁部３４ａの内側に連続して設けられ下方へ突出する中間部３４ｂ及び中間部３４ｂの内側に連続して設けられ下方へ僅かに突出する中央部３４ｃによって構成されている。中央部３４ｃには円形の穴４７が形成されている。
【００３３】
穴４７の直径は１０ｍｍであり、後述する直径１２ｍｍの円板状の板状ガラス４８に対応するものである。
そして、穴４７の周辺部である中央部３４ｃの厚さ寸法は０．１ｍｍに形成されている。穴４７の周辺部とは顕微鏡観察を行う際に対物レンズＴが対向する範囲をいう。なお、外縁部３４ａ、中間部３４ｂの厚さ寸法も０．１ｍｍとなっている。
中央部３４ｃの直径は、直径１２ｍｍの円板状の板状ガラス４８より僅かに大きいサイズに形成されている。
上記外縁部３４ａによって係合部が構成され、中間部３４ｂと中央部３４ｃによって開口対応部が構成されている。
【００３４】
次に、この顕微鏡観察用容器３１の使用方法を説明する。
顕微鏡観察用容器３１の使用方法は実施の形態１に係る顕微鏡観察用容器１と同様であるので、その説明を省略し、顕微鏡観察用容器３１特有の作用効果についてのみ説明する。
貫通穴４２の内周面４３は親水性を高める加工が施されているので、培養液Ｂを収容部１９に入れた場合において、培養液Ｂの液体分子が内周面４３に引き付けられることになる。従って、培養液Ｂの上面（液面）が表面張力によって盛り上がるのを防止することが可能となる。よって、凸型のメニスカスが形成されるのを抑制でき、顕微鏡観察に支障をきたすおそれがなくなる。
【００３５】
また、下側部材３２の底部３６の下面には突出壁３７が形成されているので、図１２に示すように載置すると、顕微鏡のステージＳの上面との間に隙間Ｇが形成される。従って、液浸を用いて顕微鏡観察を行った場合でも、液浸に用いた液体がステージＳに付着するのを防止することができる。
更に、突出壁３７には切欠き部３８が形成されているので、底部３６、突出壁３７及びステージＳの上面に囲まれた空間が負圧になり、下側部材３２がステージＳに吸着してしまうのを防止することができる。
【００３６】
本発明の実施の形態４に係る顕微鏡観察用容器４１を図１３に従って説明する。
顕微鏡観察用容器４１も実施の形態３と同様に実施の形態１で用いた符号を付して、その説明を省略し、更にその使用方法は実施の形態１に係る顕微鏡観察用容器１と同様であるので、顕微鏡観察用容器４１特有の作用効果についてのみ説明する。
上側部材５３の構造を説明する。
符号５９は筒状部を示し、この筒状部５９の上端部にはフランジ部１０が形成されている。また、筒状部５９の下端部は下方へ僅かに突出する凸部１１となっている。
筒状部５９の貫通穴６２は上下方向において同じ径寸法が連続し、凸部１１においても同じ径寸法が連続する形状に形成されている。
このように、顕微鏡観察用容器４１では、同じ径寸法が連続するように貫通穴６２が形成されているので表面張力が抑えられて、培養液Ｂの上面（液面）に凸型のメニスカスが形成されるのを抑制でき、顕微鏡観察に支障をきたすおそれがなくなる。
【００３７】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、プレート状部材４、３４は、中央部４ｃ、３４ｃだけでなく、外縁部４ａ、３４ａ、中間部４ｂ、３４ｂを含めたプレート状部材４、３４全体の厚さ寸法を０．１ｍｍとしたが、外縁部４ａ、３４ａ、中間部４ｂ、３４ｂの厚さ寸法は０．１ｍｍより大きい寸法としてもよい。すなわち、穴１７、４７の周辺部である中央部４ｃ、３４ｃの厚さ寸法は０．１ｍｍ以下とする必要があるが、中央部４ｃ、３４ｃ以外の外縁部４ａ、３４ａ、中間部４ｂ、３４ｂは上述のように対物レンズＴが対向しないので、観察中に対物レンズＴが接触するおそれがない。従って、外縁部４ａ、３４ａ、中間部４ｂ、３４ｂは０．１ｍｍより大きい寸法とすることが可能であり、プレート状部材４、３４は少なくとも中央部４ｃ、３４ｃの厚さ寸法を０．１ｍｍ以下とする構成でよい。
【００３８】
また、上記実施の形態２に係る顕微鏡観察用容器２１は、下側部材２２側にマグネット２５を設け、上側部材２３側に磁性体ブロック２４を設けたが、これとは逆に上側部材２３側にマグネット２５を設け、下側部材２２側に磁性体ブロック２４を設ける構成としてもよい。
また、プレート状部材４、３４はポリカーボネート等の合成樹脂によって構成してもよい。この場合にはプレート状部材４、３４の強度を保つため、穴１７、４７の周辺部以外の部分については、厚さ寸法を０．１ｍｍより大きい寸法とすることが望ましい。
【００３９】
上記実施の形態では、直径１０ｍｍの板状ガラスに対応することができるプレート状部材４と、直径１２ｍｍの板状ガラスに対応することができるプレート状部材３４を示したが、本発明はこれに限定されず、種々の直径の板状ガラスに対応することが可能なサイズのプレート状部材を備えてもよい。
【産業上の利用可能性】
【００４０】
本発明の顕微鏡観察用容器は、理化学機器の製造業において利用可能性を有する。
【符号の説明】
【００４１】
１…顕微鏡観察用容器    ２…下側部材    ３…上側部材      ４…プレート状部材
４ａ…外縁部            ４ｂ…中間部    ４ｃ…中央部      ５…筒状部
６…底部                ７…雌ネジ      ８…開口          ９…筒状部
１０…フランジ部        １１…凸部      １２…貫通穴      １３…雄ネジ
１４…Ｏリング          １５…保持溝    １６…係止凸部    １７…穴
１８…板状ガラス        １９…収容部    ２１…顕微鏡観察用容器
２２…下側部材          ２３…上側部材  ２４…磁性体ブロック
２５…マグネット        ３１…顕微鏡観察用容器            ３２…下側部材
３３…上側部材          ３４…プレート状部材              ３４ａ…外縁部
３４ｂ…中間部          ３４ｃ…中央部  ３５…筒状部      ３６…底部
３７…突出壁            ３８…切欠き部  ３９…筒状部      ４１…顕微鏡観察用容器
４２…貫通穴            ４３…内周面    ４４…ライン      ４７…穴
４８…板状ガラス        ５３…上側部材  ５９…筒状部      ６２…貫通穴
Ｔ…対物レンズ          Ｂ…培養液      Ｃ…細胞          Ｓ…顕微鏡のステージ
Ｇ…隙間
【図１】
2018200458.tif 000003
【図２】
2018200458.tif 000004
【図３】
2018200458.tif 000005
【図４】
2018200458.tif 000006
【図５】
2018200458.tif 000007
【図６】
2018200458.tif 000008
【図７】
2018200458.tif 000009
【図８】
2018200458.tif 000010
【図９】
2018200458.tif 000011
【図１０】
2018200458.tif 000012
【図１１】
2018200458.tif 000013
【図１２】
2018200458.tif 000014
【図１３】
2018200458.tif 000015